(57)【要約】【課題】  ベルトを装置本体の内部に収納可能とすると共に、ベルトの長さ調整を自動化することで、更なる使い勝手の向上を図る。【解決手段】  使用者が装置本体２のグリップ部７を片手で把持した状態で、装置本体２のベルト出入口２６から引き出されたベルト２１の取付部４５を装置本体２の被取付部４６に取り付けた後に、このグリップ部７を把持した状態のまま、使用者が操作部３７を操作することで、ベルト２１の長さが自動的に調整されると同時に、ベルト出入口２６と被取付部４６との間に掛け渡されたベルト２１によりグリップ部７を把持した手が確実に保持される。【選択図】  図３
2005223645.tif 000002
【特許請求の範囲】
【請求項１】
装置本体の一側面に設けられたグリップ部を使用者が片手で把持した状態を保持するためのグリップバンド機構であって、
上記装置本体に設けられたベルト出入口から上記装置本体の外部へと引き出される引出位置と、このベルト出入口から上記装置本体の内部へと引き込まれて収納される収納位置との間で出入可能に設けられたベルトと、
上記ベルト出入口から引き出されたベルトに設けられた取付部を上記装置本体に設けられた被取付部に対して取り外し可能に装着するベルト装着手段と、
上記ベルトを巻き取るように上記装置本体の内部に回転可能に収納されたベルト巻取部材と、
上記ベルト巻取部材を上記ベルトの巻取方向に付勢する付勢手段と、
上記付勢手段の付勢に抗して上記ベルト巻取部材が上記ベルトの巻取方向に回転するのを係止し、上記ベルト巻取部材を上記ベルトの巻取方向とは反対方向のみ回転可能とするロック手段と、
上記グリップ部を把持した状態で操作可能な操作部を有し、この操作部を操作することで上記ロック手段によるロック状態を解除して上記ベルト巻取部材を上記ベルトの巻取方向に回転可能とするロック解除手段とを備えることを特徴とするグリップバンド機構。
【請求項２】
上記操作部は、上記グリップ部を使用者が片手で把持した際に、その掌が当接する位置に設けられていることを特徴とする請求項１記載のグリップバンド機構。
【請求項３】
上記被取付部は、上記装置本体の異なる位置に複数設けられていることを特徴とする請求項１記載のグリップバンド機構。
【請求項４】
上記取付部は、上記ベルトを挿通させる通し孔を有し、
上記ベルトは、上記取付部の通し孔を通して折り返され、その先端部が上記装置本体の上記ベルト出入口近傍に固定されていることを特徴とする請求項１記載のグリップバンド機構。
【請求項５】
上記ベルト出入口から引き出されたベルトを係止するベルトロック手段を備えることを特徴とする請求項１記載のグリップバンド機構。
【請求項６】
前面に撮像レンズを外部に臨ませるレンズ部と、一側面に使用者が片手で把持するためのグリップ部とが設けられた装置本体と、
上記装置本体のグリップ部を使用者が片手で把持した状態を保持するためのグリップバンド機構とを備え、
上記グリップバンド機構は、上記装置本体に設けられたベルト出入口から上記装置本体の外部へと引き出される引出位置と、このベルト出入口から上記装置本体の内部へと引き込まれて収納される収納位置との間で出入可能に設けられたベルトと、
上記装置本体のベルト出入口から引き出されたベルトに設けられた取付部を上記装置本体に設けられた被取付部に対して取り外し可能に装着するベルト装着手段と、
上記ベルトを巻き取るように上記装置本体の内部に回転可能に設けられたベルト巻取部材と、
上記ベルト巻取部材を上記ベルトの巻取方向に付勢する付勢手段と、
上記付勢手段の付勢に抗して上記ベルト巻取部材が上記ベルトの巻取方向に回転するのを係止し、上記ベルト巻取部材を上記ベルトの巻取方向とは反対方向のみ回転可能とするロック手段と、
上記グリップ部を把持した状態で操作可能な操作部を有し、この操作部を操作することで上記ロック手段によるロック状態を解除して上記ベルト巻取部材を上記ベルトの巻取方向に回転可能とするロック解除手段とを備えることを特徴とする撮像装置。
【請求項７】
上記操作部は、上記グリップ部を使用者が片手で把持した際に、その掌が当接する位置に設けられていることを特徴とする請求項６記載の撮像装置。
【請求項８】
上記被取付部は、上記装置本体の異なる位置に複数設けられていることを特徴とする請求項６記載の撮像装置。
【請求項９】
上記取付部は、上記ベルトを挿通させる通し孔を有し、
上記ベルトは、上記取付部の通し孔を通して折り返され、その先端部が上記装置本体の上記ベルト出入口近傍に固定されていることを特徴とする請求項６記載の撮像装置。
【請求項１０】
上記ベルト出入口から引き出されたベルトを係止するベルトロック手段を備えることを特徴とする請求項６記載の撮像装置。
【発明の詳細な説明】
【技術分野】
【０００１】
本発明は、使用者が装置本体を把持した状態を保持するためのグリップバンド機構、並びにそのようなグリップバンド機構を備えた撮像装置に関する。
【背景技術】
【０００２】
例えば、デジタルスチルカメラやデジタルビデオカメラ等の撮像装置には、装置本体の一側面に設けられたグリップ部を使用者が片手で把持した状態を保持するためのグリップバンド機構が設けられている。このグリップバンド機構は、装置本体の一側面に掛け渡されたグリップベルトを有し、このグリップベルトと装置本体の側面との間に挿入された手をグリップベルトが保持する構成となっている。
【０００３】
また、撮像装置では、使用者の手のサイズに合わせてグリップベルトの長さを調節する必要があるため、例えば、グリップベルトと装置本体の側面との間に使用者が片手を挿入した状態で、もう一方の手でグリップベルトの片側の端部を適当な位置まで引っ張りながら長さを調節した後に、このグリップベルトの片側の端部を折り返して面状ファスナにより固定するといった手順が取られている。
【０００４】
しかしながら、このような従来のグリップバンド機構では、調整のための手順が多く、また、調整途中の段階ではグリップ部を把持する手がグリップベルトに保持されずに、実質的にグリップベルトの無い状態でグリップ部を把持しておく必要があるなど使用者にとって必ずしも使い勝手のよいものではなかった。
【０００５】
また、従来のグリップバンド機構では、グリップベルトが装置本体の一側面を大きく覆ってしまうため、体裁が悪く、販売等の際にグリップベルト側を背面側に向けて展示するなど、デザインの面で見栄えを工夫することが困難であった。
【０００６】
なお、本発明に関連する公知文献としては、例えば下記に示す特許文献１〜４がある。
【０００７】
特許文献１には、グリップ部を把持した手を押さえるグリップベルトの一端を軸に巻回して、このグリップベルトの長さを調整可能とした撮像レンズ用グリップ装置が記載されている。しかしながら、このグリップ装置では、グリップベルトを装置本体の内部に収納することができず、グリップベルトを自動で巻き取ることもできないことから、必ずしも使い勝手のよいものとは言えない。
【０００８】
特許文献２には、ファインダを回転させることでグリップベルトの締結力を調整するビデオカメラが記載されている。しかしながら、このビデオカメラでは、グリップベルトの長さを調整する際に、ファインダを繰り返し回転操作しなければならず、必ずしも操作性のよいものとは言えない。
【０００９】
特許文献３には、グリップベルト機能とストラップベルト機能とを併せ持つカメラ用ストラップ兼用グリップコードが記載されている。しかしながら、このグリップコードは、グリップベルトとして使用する際にストラップが収納されずに持ち運びの邪魔となってしまう。
【００１０】
特許文献４には、グリップベルトとハンドストラップの両方に対応できるグリップベルトが記載されている。しかしながら、このグリップベルトでは、取り外しが複雑であったり、ストラップとして使用する際に再度の長さ調整が必要となるなど不自由な点がある。
【００１１】
【特許文献１】特開平１１−１８４００７号公報
【特許文献２】特開平７−４６４５２号公報
【特許文献３】特開平１０−１３３２７４号公報
【特許文献４】特開２００３−２２８１２３号公報
【発明の開示】
【発明が解決しようとする課題】
【００１２】
そこで、本発明は、このような従来の事情に鑑みて提案されたものであり、ベルトを装置本体の内部に収納可能とすると共に、ベルトの長さ調整を自動的に行うことを可能としたグリップバンド機構を提供することを目的とする。
【００１３】
また、そのようなグリップバンド機構を備えることで、更なる使い勝手の向上を可能とした撮像装置を提供することを目的とする。
【課題を解決するための手段】
【００１４】
この目的を達成するために、本発明に係るグリップバンド機構は、装置本体の一側面に設けられたグリップ部を使用者が片手で把持した状態を保持するためのものであり、装置本体に設けられたベルト出入口から装置本体の外部へと引き出される引出位置と、このベルト出入口から装置本体の内部へと引き込まれて収納される収納位置との間で出入可能に設けられたベルトと、ベルト出入口から引き出されたベルトに設けられた取付部を装置本体に設けられた被取付部に対して取り外し可能に装着するベルト装着手段と、ベルトを巻き取るように装置本体の内部に回転可能に収納されたベルト巻取部材と、ベルト巻取部材をベルトの巻取方向に付勢する付勢手段と、付勢手段の付勢に抗してベルト巻取部材がベルトの巻取方向に回転するのを係止し、ベルト巻取部材をベルトの巻取方向とは反対方向のみ回転可能とするロック手段と、グリップ部を把持した状態で操作可能な操作部を有し、この操作部を操作することでロック手段によるロック状態を解除してベルト巻取部材をベルトの巻取方向に回転可能とするロック解除手段とを備えることを特徴としている。
【００１５】
また、本発明に係る撮像装置は、前面に撮像レンズを外部に臨ませるレンズ部と、一側面に使用者が片手で把持するためのグリップ部とが設けられた装置本体と、装置本体のグリップ部を使用者が片手で把持した状態を保持するためのグリップバンド機構とを備え、グリップバンド機構は、装置本体に設けられたベルト出入口から装置本体の外部へと引き出される引出位置と、このベルト出入口から装置本体の内部へと引き込まれて収納される収納位置との間で出入可能に設けられたベルトと、装置本体のベルト出入口から引き出されたベルトに設けられた取付部を装置本体に設けられた被取付部に対して取り外し可能に装着するベルト装着手段と、ベルトを巻き取るように装置本体の内部に回転可能に設けられたベルト巻取部材と、ベルト巻取部材をベルトの巻取方向に付勢する付勢手段と、付勢手段の付勢に抗してベルト巻取部材がベルトの巻取方向に回転するのを係止し、ベルト巻取部材をベルトの巻取方向とは反対方向のみ回転可能とするロック手段と、グリップ部を把持した状態で操作可能な操作部を有し、この操作部を操作することでロック手段によるロック状態を解除してベルト巻取部材をベルトの巻取方向に回転可能とするロック解除手段とを備えることを特徴としている。
【発明の効果】
【００１６】
以上のように、本発明に係るグリップバンド機構では、使用者が装置本体のグリップ部を片手で把持した状態で、装置本体のベルト出入口から引き出されたベルトの取付部を装置本体の被取付部に取り付けた後に、このグリップ部を把持した状態のまま、使用者が操作部を操作することで、ベルトの長さが自動的に調整されると共に、ベルト出入口と被取付部との間に掛け渡されたベルトによりグリップ部を把持した手を適切且つ確実に保持することができる。したがって、このグリップバンド機構では、ベルトの長さ調整の手順を簡略化すると共に、使用者の手のサイズに合わせてベルトの長さを簡単に調整することが可能である。
【００１７】
また、本発明に係る撮像装置では、このようなグリップバンド機構を備えることで、使用者の使い勝手を更に向上させることが可能であり、また、非使用時にベルトを装置本体の内部に収納することが可能なことから、更なるデザイン性の向上が可能である。
【発明を実施するための最良の形態】
【００１８】
以下、本発明を適用したグリップバンド機構及び撮像装置について、図面を参照しながら詳細に説明する。
【００１９】
本発明を適用した撮像装置は、例えば図１及び図２に示すカメラ一体型デジタルビデオテープレコーダ（以下、デジタルビデオカメラという。）１である。このデジタルビデオカメラ１は、全体略直方体状の装置本体２を備え、この装置本体２を使用者が片手で把持した状態で撮影を行う形態となっている。
【００２０】
具体的に、装置本体２は、被写体を撮影するための撮像ユニットを有しており、この装置本体２の前面には、撮像レンズ３ａを外部に臨ませるレンズ部３が設けられている。また、装置本体２には、夜間等にストロボを発光させるフラッシュ発光部４や、音声を収録するための音声収録ユニットであるマイクロフォン５等が設けられている。また、装置本体２の内部には、撮像レンズ３ａを含む撮像光学系が内蔵されたレンズ鏡筒や、このレンズ鏡筒で結像された被写体の像を撮像するＣＣＤ(Charge Coupled Device)やＣＭＯＳ(Complementary Mental-Oxide Semiconductor device)等の撮像素子が設けられている。そして、この撮像ユニットは、撮像レンズ３ａを通して取り込まれた画像を撮像素子により電気信号に変換し、映像データとして後述する記録再生ユニットや表示ユニット等に出力する。
【００２１】
装置本体２の背面側の上部には、上述した撮像ユニットにより撮像された画像を表示する本体側の表示ユニットとして、アイカップを通して内部の液晶表示素子(ＬＣＤ:Liquid Crystal Display)に表示された画像を覗き見るファインダ部(ＥＶＦ:Electronic View Finder)５が設けられている。また、装置本体２のファインダ部５の下方には、このデジタルビデオカメラ１の電源となるバッテリパック６が着脱可能に取り付けられている。
【００２２】
装置本体２の一方の側面は、使用者に把持されるグリップ部７であり、このグリップ部７には、装置本体２の外筐を構成する蓋体８が開閉可能に取り付けられている。また、この蓋体８の内側には、テープカセットを装着するためのメカデッキが設けられている。このメカデッキには、上述した撮像ユニット及び音声収録ユニットからの映像信号及び音声信号等を記録し又はテープカセットに記録された映像信号及び音声信号等を再生するための記録再生ユニットとして、メカデッキに装着されたテープカセットの磁気テープに対して信号の記録・再生を行う回転ヘッド装置や、複数のガイドローラにより引き回された磁気テープをピンチローラとキャップスタンとで挟み込みながら、この磁気テープを一定の速度で走行させるテープ走行機構等が設けられている。
【００２３】
装置本体２のグリップ部７とは反対側の側面には、略矩形平板状のパネル部９が回動ヒンジ機構１０を介して回動可能に取り付けられている。この回動ヒンジ機構１０は、パネル部９を装置本体２に対して、開閉方向に略９０゜の角度範囲で回動可能に支持すると共に、開閉方向と直交する軸回りに略２７０゜の角度範囲で回動可能に支持している。これにより、パネル部９は、装置本体２に対して開閉したり、開いた状態において向きを切り替えることが可能となっている。また、パネル部９は、閉じた状態において、装置本体２の一側面を切り欠くように形成されたパネル収納部１１に収納可能となっている。
【００２４】
また、パネル部９の一主面側には、上述した撮像ユニットにより撮像された画像を表示するパネル側の表示ユニットとして、液晶表示パネル（ＬＣＤ）が設けられている。したがって、このデジタルビデオカメラ１では、上記ファインダ部５以外にも、撮像レンズ３ａを通して撮影された画像を液晶表示パネルに表示することが可能となっている。また、装置本体２の各所には、各種操作を行うための操作ボタンやスイッチ等が設けられている。
【００２５】
以上のように構成されるデジタルビデオカメラ１では、使用者が装置本体２のグリップ部７を片手で把持した状態で、背面側のファインダ部５を覗きながら、或いはグリップ部７とは反対側のパネル部９の液晶表示パネルを見ながら、動画や静止画等の撮影を行うことが可能である。また、このデジタルビデオカメラ１では、装置本体２に対するパネル部９の向きを切り替えることによって、例えば液晶表示パネルを見ながら撮影者自身を撮影するといったことが可能である。
【００２６】
ところで、このデジタルビデオカメラ１には、図２，図３及び図４に示すように、装置本体２のグリップ部７を使用者が片手で把持した状態を保持するためのグリップバンド機構２０が設けられている。
【００２７】
このグリップバンド機構２０は、図５，図６及び図７に示すように、長尺状のグリップベルト２１と、このグリップベルト２１を巻き取るベルト巻取部材として装置本体２の内部に回転可能に収納された巻取リール２２と、この巻取リール２２をグリップベルト２１の巻取方向に付勢する付勢手段であるゼンマイバネ２３と、このゼンマイバネ２３の付勢に抗して巻取リール２２がグリップベルト２１の巻取方向に回転するのを係止し、巻取リール２２をグリップベルト２１の巻取方向とは反対方向のみ回転可能とするロック機構２４と、このロック機構２４によるロック状態を解除して巻取リール２２をグリップベルト２１の巻取方向に回転可能とするロック解除機構２５とを備えている。
【００２８】
グリップベルト２１は、帯状或いは紐状の可撓性のある長尺部材からなり、巻取リール２２に巻回された状態で、蓋体８の背面側下方に形成されたベルト出入口２６から装置本体２の外部へと引き出される引出位置と、このベルト出入口２６から装置本体２の内部へと引き込まれて収納される収納位置との間で出入可能に設けられている。また、このグリップベルト２１は、装置本体２のグリップ部７を把持した手を保持するためのグリップバンドとしての機能と、首や肩、腕或いはフック等にぶら下げるためのストラップバンドとしての機能とを有している。したがって、グリップベルト２１は、これらの機能を満足するのに充分な長さを有している。
【００２９】
巻取リール２２は、グリップベルト２１を巻き取る略円筒状のリール部２２ａと、このリール部２２ａの内側にゼンマイバネ２３を収納するバネ収納部２２ｂと、このリール部２２ａの内側を貫通する貫通孔２２ｃとを有し、上述した蓋体８とメカデッキを構成するシャーシ２７との間に回転可能な状態で収納されている。具体的に、この巻取リール２２は、貫通孔２２ｃに嵌入された軸部材２８によって回転可能に支持されている。なお、軸部材２８は、ネジ２９によってシャーシ２７に固定支持されている。
【００３０】
また、蓋体８の内側には、巻取リール２２から引き出されたグリップベルト２１の延長線上において、このグリップベルト２１を上下方向から挟み込む一対の水平ガイドピン３０と、これら水平ガイドピン３０よりもベルト出入口２６側において、グリップベルト２１を上下方向と直交する方向から挟み込む一対の垂直ガイドピン３１とが取り付けられている。グリップベルト２１は、これら一対の水平ガイドピン３０と一対の垂直ガイドピン３１との間で略９０゜捻った状態で案内されることで、巻取リール２２とベルト出入口２６との間における移動がスムーズに行えるようになっている。
【００３１】
ゼンマイバネ２３は、長尺状の板バネが渦巻き状に巻回されてなるものであり、巻取リール２２のバネ収納部２２ｂに収納された状態で、その内周側の端部が軸部材２８に係止されると共に、その外周側の端部がシャーシ２７に係止されることによって、巻取リール２２をグリップベルト２１の巻取方向に付勢している。
【００３２】
ロック機構２４は、巻取リール２２をグリップベルト２１の巻取方向とは反対方向のみ回転可能とするためのロック部材３２を有している。このロック部材３２は、有底円筒形状を有し、その内側の底面中央部には、十字状の係合突部（図示せず。）が突出形成されている。一方、軸部材２８の中心部には、コイルバネ３３を嵌合させるバネ受２８ａと、このバネ受２８ａを中心に上述したロック部材３２の係合突部を係合させる十字状の係合穴２８ｂとが形成されている。そして、このロック部材３２は、軸部材２８のバネ受２８ａにコイルバネ３３を嵌合させると共に、係合穴２８ｂに係合突部を係合させた状態で、その内側に軸部材２８を嵌め込むことによって、当該軸部材２８に取り付けられている。
【００３３】
また、ロック部材３２の外周部には、互いに対向する位置から外側に向かって一対のカム部３４が突出形成されている。これら一対のカム部３４は、ロック部材３２の外周面と直交する面のうち、ロック部材３２のシャーシ２７側の端部からグリップベルト２１の巻取方向とは反対方向に傾斜しながら立ち上がる傾斜面部３４ａと、この傾斜面部３４ａの立上り端部からロック部材３２のシャーシ２７側の端部まで垂直に立ち下がる垂直面部３４ｂとを有している。一方、巻取リール２２には、これら一対のカム部３４の傾斜面部３４ａ及び垂直面部３４ｂと摺接される複数ストッパー片３５がリール部２２ａの内周部から内側に向かって突出形成されている。また、互いに隣接する各ストッパー片３５の間には、それぞれ一対のカム部３４に対応した隙間３６が設けられている。
【００３４】
そして、このロック部材３２を軸部材２８に取り付ける際には、巻取リール２２の隙間３６から一対のカム部３４を挿入する。ロック部材３２は、この状態から巻取リール２２をゼンマイバネ２３の付勢に抗してグリップベルト２１の巻取方向とは反対方向に回転させることによって、複数のストッパー片３５を一対のカム部３４の傾斜面部３４ａに沿って摺接可能としている。また、コイルバネ３３は、軸部材２８とロック部材３２との間で圧縮されることによって、ロック部材３２を軸部材２８から離間する方向に付勢している。
【００３５】
ここで、図７に示すように、巻取リール２２が回転し、一対のカム部３４の傾斜面部３４ａと摺接するストッパー片３５が、これら一対のカム部３４の傾斜面部３４ａを乗り越えると、ストッパー片３５の間に形成された隙間３６に一対のカム部３４が入り込むことになる。このとき、ロック部材３２は、一対のカム部３４の垂直面部３４ｂに一対のストッパー片３５を当接させることによって、ゼンマイバネ２３の付勢により巻取リール２２がグリップベルト２１の巻取方向に回転するのを係止する。これに対して、グリップベルト２１の巻取方向とは反対方向には、複数のストッパー片３５を一対のカム部３４の傾斜面部３４ａに沿って摺接させながら、この巻取リール２２を回転させることが可能である。
【００３６】
これにより、ロック機構２４は、巻取リール２２をグリップベルト２１の巻取方向とは反対方向のみ回転可能としている。なお、ロック部材３２は、ストッパー片３５の間に形成された隙間３６に一対のカム部３４が入り込んだとき、その蓋体８と対向する面が後述する押圧操作部材３７の裏面と当接されることによって、軸部材２８からの抜けが防止された構成となっている。
【００３７】
ロック解除機構２５は、図２，図５及び図６に示すように、上述したロック機構２４による巻取リール２２のロック状態を解除するための押圧操作部材３７を有し、この押圧操作部材３７を装置本体２のグリップ部７を把持した状態で押圧操作することで、ゼンマイバネ２３に付勢された巻取リール２２をグリップベルト２１の巻取方向に回転可能としている。
【００３８】
具体的に、この押圧操作部材３７は、グリップ部７を使用者が片手で把持した際に、その掌（手のひら）が当接する蓋体８に設けられている。蓋体８には、この押圧操作部材３７に対応した形状の開口部３８が形成されている。そして、押圧操作部材３７は、この開口部３８に嵌合されることによって蓋体８と連続した主面を形成すると共に、蓋体８の上部側に一対のヒンジ機構３９を介して回動可能に支持されている。
【００３９】
ヒンジ機構３９は、蓋体８の裏面に設けられた一対の軸受部４０と、これら一対の軸受部４０よりも内側に位置するように押圧操作部材３７の裏面に設けられた一対の軸受部４１と、これら軸受部４０，４１の間に挿通される一対の支軸４２とを有し、これら一対の支軸４２の軸回りに押圧操作部材３７を蓋体８に対して回動可能に支持している。
【００４０】
また、この押圧操作部材３７は、付勢手段である捻りコイルバネ４３によってロック部材３２を押圧する方向とは反対側に付勢されている。この捻りコイルバネ４３は、一方のヒンジ機構３９の軸受部４０，４１の間で、その巻回部分に支軸４２が挿通されて、一端が蓋体８側に係止されると共に、他端が押圧操作部材３７の裏面に係止されることによって、押圧操作部材３７を押圧する方向とは反対側に付勢している。また、押圧操作部材３７は、その外周部から突出するストッパ突部４４を有し、このストッパー突部４４が蓋体８の開口部３８の周囲に当接されることによって、捻りコイルバネ４３の付勢により蓋体８の開口部３８よりも外側に回動することが規制されている。
【００４１】
このロック解除機構２５は、押圧操作部材３７が捻りコイルバネ４３の付勢に抗して押圧操作されると、ロック部材３２に当接し、このロック部材３２をコイルバネ３３の付勢に抗してシャーシ２７側へと押し込むことになる。このとき、ロック部材３２の一対のカム部３４は、ストッパー片３５と摺接される位置よりもシャーシ２７側へと押し込まれ、これら複数のストッパー片３５から離間した状態となる。これにより、ロック解除機構２５は、ロック機構２４によるロック状態を解除して、ゼンマイバネ２３に付勢された巻取リール２２をグリップベルト２１の巻取方向に回転可能する。
【００４２】
また、このグリップバンド機構２０は、図２，図３及び図４に示すように、装置本体２のベルト出入口２６から引き出されたグリップベルト２１に設けられた取付部材４５を装置本体２に設けられた被取付部材４６に対して取り外し可能に装着するベルト装着機構４７を備えている。
【００４３】
このベルト装着機構４７において、取付部材４５は、ベルト出入口２６よりも大きいリング状の金具であり、グリップベルト２１は、この取付部材４５の内側の通し孔４５ａを通して折り返され、その先端部がベルト出入口２６の近傍に固定されている。したがって、グリップベルト２１は、この取付部材４５を摘んでベルト出入口２６から引き出すことが可能である。一方、被取付部材４６は、取付部材４５を掛止するためのフック状の金具であり、フック側を前方に向けて蓋体８の前面側下方に取り付けられている。
【００４４】
したがって、このベルト装着機構４７は、ベルト出入口２６からグリップベルト２１を引き出しながら、このグリップベルト２１に取り付けられた取付部材４５を前面側の被取付部材４６に掛止することによって、ベルト出入口２６と掛止位置との間でグリップベルト２１を掛け渡すことが可能である。また、このベルト装着機構４７は、取付部材４５を被取付部材４６に対して取り外し可能に装着することが可能である。
【００４５】
また、このグリップバンド機構２０は、ベルト出入口２６から引き出されたグリップベルト２１を係止するベルトロック機構４８を備えている。
【００４６】
このベルトロック機構４８は、図５及び図６に示すように、グリップベルト２１を係止するロック位置とグリップベルト２１に対する係止状態を解除するアンロック位置との間で移動操作されるロック操作部材４９と、このロック操作部材４９をアンロック位置側へと付勢する付勢手段である板バネ５０とを有している。ロック操作部材４９は、蓋体８の背面側に形成されたガイド孔５１から外部に臨む操作突部４９ａと、グリップベルト２１を係止するロック爪４９ｂとを有している。ガイド孔５１は、操作突部４９ａを上下方向に案内する第１のスリット５１ａと、この第１のスリット５１ａの上端部からベルト出入口２６側に向かって操作突部４９ａを第１のスリット５１ａと直交する方向に案内する第２のスリット５１ｂとを有し、これら第１のスリット５１ａと第２のスリット５１ｂとの間で操作突部４９ａをスライド可能としている。ロック爪４９ｂは、くさび形状を有し、蓋体８のベルト出入口２６近傍との間でグリップベルト２１を挟み込むことによって、このベルト出入口２６からのグリップベルト２１の引き出し方向又は引き込み方向の移動を係止する。板バネ５０は、基端部がシャーシ２７に固定支持されると共に、先端部がロック操作部材４９に当接されることによって、このロック操作部材４９をアンロック位置側へと付勢している。
【００４７】
操作突部４９ａは、図８に示すアンロック位置にあるとき、板バネ５０の付勢により第１のスリット５１ａの下端部に位置している。このとき、ロック爪４９ｂは、図９に示すように、グリップベルト２１に当接されずにグリップベルト２１に対する係止状態を解除している。そして、この状態から、図１０に示すように、操作突部４９ａを板バネ５０の付勢に抗して第１のスリット５１ａの上端部へとスライドさせた後、この操作突部４９ａをロック位置である第２のスリットに係合させると、図１１に示すように、ベルト出入口２６から引き出されたグリップベルト２１がロック爪４９ｂにより係止されると共に、このロック爪４９ｂによるグリップベルト２１の係止状態が保持される。これにより、ベルトロック機構４８は、使用者の意に反してグリップベルト２１の引出し動作や引込み動作を行わないように、ベルト出入口２６から引き出されたグリップベルト２１を係止することが可能である。
【００４８】
以上のように構成されるグリップバンド機構２０では、使用者が装置本体２のグリップ部７を片手で把持した状態から、先ず、取付部材４５を摘んでベルト出入口２６からグリップベルト２１を引き出す。このとき、グリップベルト２１は、ロック機構２４が巻取リール２２をグリップベルト２１の巻取方向とは反対方向のみ回転可能とするために、ベルト出入口２６から引き戻されることなく、必要な長さ分だけベルト出入口２６から引き出すことができる。
【００４９】
次に、このグリップベルト２１に取り付けられた取付部材４５をベルト出入口２６とは反対側にある被取付部材４６に引っ掛ける。これにより、グリップ部７を把持する手を挟んでベルト出入口２６と被取付部材４６との間でグリップベルト２１が掛け渡された状態となる。
【００５０】
次に、このグリップ部７を使用者が片手で把持した状態のまま、その掌で押圧操作部材３７を押圧操作する。すると、ロック機構２４によるロック状態が解除されることによって、ゼンマイバネ２３に付勢された巻取リール２２がグリップベルト２１の巻取方向に回転し、この巻取リール２２がグリップベルト２１の余長部分を巻き取ることになる。すなわち、このグリップベルト２１の余長部分は、グリップ部７を把持する手のサイズに合わせて、ベルト出入口２６から装置本体２の内部へと引き込まれる。
【００５１】
これにより、図１２に示すように、グリップベルト２１の長さが調整されると共に、このグリップ部７を把持する手を二つ折りにされた二重のグリップベルト２１により安定的に保持することができる。
【００５２】
また、このグリップバンド機構２０では、この状態からガイド孔５１の第１のスリット５１ａから外部に臨む操作突部４９ａを板バネ５０の付勢に抗してアンロック位置からロック位置に移動させることによって、ベルト出入口２６から引き出されたグリップベルト２１をベルトロック機構４８により係止することができる。
【００５３】
一方、このグリップバンド機構２０では、上述した動作と逆の動作によって、グリップベルト２１による保持状態を解除することができる。具体的には、先ず、ガイド孔５１の第２のスリット５２ｂから外部に臨む操作突部４９ａをロック位置からアンロック位置に移動させることによって、ベルトロック機構４８によるグリップベルト２１の係止状態を解除する。次に、取付部材４５の被取付部材４６に対する掛止状態を解除する。そして、押圧操作部材３７を押圧操作することによって、ロック機構２４によるロック状態を解除する。これにより、ゼンマイバネ２３に付勢された巻取リール２２がグリップベルト２１の巻取方向に回転し、この巻取リール２２がグリップベルト２１を巻き取ることになる。すなわち、グリップベルト２１は、ベルト出入口２６から装置本体２の内部に引き込まれて、この装置本体２の内部に収納された状態となる。
【００５４】
また、このグリップバンド機構２０では、取付部材４５を摘んでベルト出入口２６からグリップベルト２１を引き出した後に、取付部材４５を被取付部材４６に引っ掛けずに、引き出された状態のまま、このグリップベルト２１をベルトロック機構４８により係止する。
【００５５】
この場合、ループ状のグリップベルト２１は、そのベルト出入口２６から引き出された任意の長さで、このデジタルビデオカメラ１を首や肩、腕或いはフック等にぶら下げるためのストラップバンドとして使用することができる。
【００５６】
以上のように、このデジタルビデオカメラ１では、使用者が装置本体２のグリップ部７を片手で把持した状態で、装置本体２のベルト出入口２６から引き出されたグリップベルト２１の取付部材４５を被取付部材４６に取り付けた後に、このグリップ部７を把持した状態のまま、使用者が押圧操作部材３７を操作することで、グリップベルト２１の長さが自動的に調整されると共に、このグリップ部７を把持した手をグリップベルト２１により適切且つ確実に保持することが可能である。
【００５７】
すなわち、本発明を適用したグリップバンド機構２０では、今まで煩わしかったグリップベルト２１の長さ調整の手順を簡略化すると共に、使用者の手のサイズに合わせてグリップベルト２１の長さを簡単に調整することが可能である。特に、このデジタルビデオカメラ１では、使用者が装置本体２のグリップ部７を把持した状態のまま、その掌で押圧操作部材３７を押圧操作することで、グリップベルト２１の長さが自動調整されることから、更なる手順の簡略化及び使い勝手の向上を図ることが可能である。
【００５８】
また、このグリップバンド機構２０では、二つ折りにされた二重のグリップベルト２１によりグリップ部７を把持する手を安定的に保持することが可能なことから、装置本体２の大型化を招くことなく、従来よりも細くて軽いグリップベルト２１を使用することが可能である。
【００５９】
また、このグリップバンド機構２０では、１つのグリップベルト２１でグリップ部７を把持した手を保持するグリップバンド機能と、首や肩、腕或いはフック等にぶら下げるストラップバンド機能と賄うことが可能である。また、このようなグリップバンド機能とストラップバンド機能との切り替えを素早く行うことが可能である。さらに、非使用時には、グリップベルト２１を装置本体２の内部に収納することも可能である。
【００６０】
したがって、このようなグリップバンド機構２０を備えるデジタルビデオカメラ１では、使用者の使い勝手を更に向上させることが可能であり、また、グリップベルト２１を装置本体２の内部に収納することによって、デザイン性を更に向上させることが可能である。
【００６１】
なお、本発明では、上述した被取付部材４６を装置本体２の異なる位置に複数設けることも可能である。例えば図１３に示すデジタルビデオカメラ１には、蓋体８の前面側下方に取り付けられた上記被取付部材４６ａとは別に、蓋体８の前面側上方に被取付部材４６ｂが取り付けられている。
【００６２】
この場合、使用者が装置本体２のグリップ部７を把持する状態に合わせて、グリップベルト２１を掛け渡す位置を変更することが可能である。例えば図１４に示すローアングル撮影を行う場合には、上述した図１２に示す通常の撮影状態とは装置本体２のグリップ部７を把持する状態が逆向きとなる。この場合、上部側の被取付部材４６ｂとベルト出入口２６との間にグリップベルト２１を掛け渡すことによって、グリップ部７を把持する手を安定的に保持することが可能である。
【００６３】
なお、上記ベルト装着機構４７における装着方法としては、上述したフック止めに限らず、スナップ止めやボタン止め、面状ファスナ等の取り外し可能な装着方法を用いることが可能である。
【００６４】
なお、本発明は、上記デジタルビデオカメラ１に上記グリップバンド機構２０を適用したものに必ずしも限定されるものではなく、例えば図１５に示すようなデジタルスチルカメラ１００にも本発明のグリップバンド機構を適用することが可能である。
【００６５】
このデジタルスチルカメラ１００は、装置本体１０１の前面に撮像レンズ１０２ａを外部に臨ませるレンズ部１０２と、一側面に使用者が片手で把持するためのグリップ部１０３と、このグリップ部１０３を使用者が片手で把持した状態を保持するためのグリップバンド機構１０４とを備えている。
【００６６】
このグリップバンド機構１０４は、上記グリップバンド機構２０と略々同様の構成を有しており、グリップ部１０３の上部側に設けられたベルト出入口１０５から引き出されたグリップベルト１０６は、その先端部に取り付けられた取付部１０７をグリップ部１０３の上部側或いは下部側に設けられた被取付部１０８に取り外し可能に装着することが可能である。また、上述したロック機構２４のロック状態を解除するための操作ボタン１０９は、グリップ部７を把持する使用者の掌（手のひら）が当接する位置に設けられている。
【００６７】
したがって、このデジタルスチルカメラ１００では、使用者が装置本体１０１のグリップ部１０３を片手で把持した状態で、装置本体１０１のベルト出入口１０５から引き出されたグリップベルト１０６の取付部１０７を下部側の被取付部１０８に取り付けた後に、このグリップ部１０３を把持した状態のまま、使用者が操作ボタン１０９を掌で押圧操作することで、グリップベルト１０６の長さが自動的に調整されると共に、このグリップ部１０３７を把持した手をグリップベルト１０６により適切且つ確実に保持することが可能である。また、非使用時には、グリップベルト１０６を装置本体１０１の内部に収納することが可能である。さらに、ベルト出入口１０５から任意の長さで引き出されたグリップベルト１０６の取付部１０７を上部側の被取付部１０８に取り付けることによって、このグリップベルト１０６を首や肩、腕或いはフック等にぶら下げるためのストラップバンドとして使用することも可能である。
【産業上の利用可能性】
【００６８】
なお、本発明は、上述したデジタルビデオカメラ１やデジタルスチルカメラ１００等の撮像装置の他にも、使用者が装置本体を片手で把持する携帯機器に対して上記グリップバンド機構を適用することが可能である。
【図面の簡単な説明】
【００６９】
【図１】本発明を適用したデジタルビデオカメラの外観を示す斜視図である。
【図２】上記デジタルビデオカメラのグリップベルトが収納された状態を示す斜視図である。
【図３】上記デジタルビデオカメラのグリップベルトが引き出された状態を示す斜視図である。
【図４】上記デジタルビデオカメラの取付部材が被取付部材に装着された状態を示す斜視図である。
【図５】本発明を適用したグリップバンド機構の構成を示す分解斜視図である。
【図６】上記グリップバンド機構を蓋体の内側から見た斜視図である。
【図７】ロック機構及びロック解除機構の構成を示す要部斜視図である。
【図８】ベルトロック機構の操作突部がアンロック位置にある状態を示す要部斜視図である。
【図９】図８に示す状態におけるロック操作部材の位置を示す要部斜視図である。
【図１０】ベルトロック機構の操作突部がアンロック位置にある状態を示す要部斜視図である。
【図１１】図１０に示す状態におけるロック操作部材の位置を示す要部斜視図である。
【図１２】上記デジタルビデオカメラのグリップベルトによる保持状態を示す斜視図である。
【図１３】上記デジタルビデオカメラの変形例を示す斜視図である。
【図１４】図１３に示すデジタルビデオカメラのローアングルでのグリップベルトによる保持状態を示す斜視図である。
【図１５】本発明を適用したグリップバンド機構を備えるデジタルスチルカメラを示す斜視図である。
【符号の説明】
【００７０】
１  デジタルビデオカメラ、  ２  装置本体、  ７  グリップ部、  ２０  グリップバンド機構、  ２１  グリップベルト、  ２２  巻取リール、  ２３  ゼンマイバネ、  ２４  ロック機構、  ２５  ロック解除機構、  ２６  ベルト出入口、  ２７  シャーシ、  ２８  軸部材、  ３２  ロック部材、  ３３  コイルバネ、  ３４  カム部、  ３５  ストッパー片、  ３６  隙間、  ３７  押圧操作部材、  ４３  捻りコイルバネ、  ４５  取付部材、  ４６  被取付部材、  ４７  ベルト装着機構、  ４８  ベルトロック機構、  ４９  ロック操作部材、  ４９ａ  操作突部、  ４９ｂ  ロック爪、  ５０  板バネ、  ５１ガイド孔、  １００  デジタルスチルカメラ、  １０１  装置本体、  １０３  グリップ部、  １０４  グリップバンド機構、  １０５  ベルト出入口、  １０６  グリップベルト、  １０７  取付部材、  １０８  被取付部、  １０９  操作ボタン
【図１】
2005223645.tif 000003
【図２】
2005223645.tif 000004
【図３】
2005223645.tif 000005
【図４】
2005223645.tif 000006
【図５】
2005223645.tif 000007
【図６】
2005223645.tif 000008
【図７】
2005223645.tif 000009
【図８】
2005223645.tif 000010
【図９】
2005223645.tif 000011
【図１０】
2005223645.tif 000012
【図１１】
2005223645.tif 000013
【図１２】
2005223645.tif 000014
【図１３】
2005223645.tif 000015
【図１４】
2005223645.tif 000016
【図１５】
2005223645.tif 000017